(57)【要約】【課題】違和感がない性行用補助器具を提供する。【解決手段】外観が、卵の中心からややずらせた位置で切断された形状の擬似亀頭であって、前記擬似亀頭のほぼ中央部周囲に形成された溝と、前記亀頭のほぼ先端に設けられた尿道口と、前記尿道口の反対側に設けられた凹部と、前記尿道口から前記擬似亀頭の内部を貫通して前記凹部に到る尿道とを備えたことを特徴とする性行為補助器具である。【選択図】図５
0003105787.tif 000002
【実用新案登録請求の範囲】
【請求項１】
外観が、卵を円周方向に切断した形状の擬似亀頭の表面に形成された溝と、
前記擬似亀頭のほぼ先端に設けられた尿道口と、
前記尿道口の反対側に、前記擬似亀頭に凹状に設けられた凹部と、
前記尿道口から前記擬似亀頭の内部を貫通して前記凹部に到る尿道とを備えたことを特徴とする性行為補助器具。
【請求項２】
前記溝は、前記溝の全周、又は一部にわたり、半円状、矩形状、又はＶ字状の何れかの１種、又は２種以上の断面形状に形成されていることを特徴とする請求項１に記載の性行為補助器具。
【請求項３】
前記凹部は、男性の陰茎の先端部を挿入して保持できるようにほぼ半円形状に形成されていることを特徴とする請求項１又は２に記載の性行為補助器具。
【請求項４】
前記尿道口は、前記擬似亀頭に１箇所、又は複数個設けられていることを特徴とする請求項１〜３の何れかに記載の性行為補助器具。
【請求項５】
前記擬似亀頭の内部に一方端が埋め込まれ、前記凹状の凹部の尿道部近傍から抜け出て前記凹部の外に延伸する紐を備えたことを特徴とする請求項１〜４の何れかに記載の性行為補助器具。
【請求項６】
前記凹部の外縁部は、前記陰茎の先端部を挿入した際に外に広がるとともに、陰茎を包み込むように、柔軟性のある材質を用いて形成されていることを特徴とする請求項１〜５の何れかに記載の性行為補助器具。
【請求項７】
前記凹部の外縁部に、前記陰茎の先端部を挿入した際に外に広がるとともに、陰茎を包み込むように、略楔状の切欠き部が前記凹部の周囲に沿って複数個形成されていることを特徴とする請求項１〜６のいずれかに記載の性行為補助器具。
【請求項８】
前記凹部の外縁部に、前記陰茎の先端部を挿入した際に外に広がるとともに、陰茎を包み込むように、略楔状の切欠き部が前記凹部の周囲に沿って複数個形成され、かつ該楔状切欠き部の先端が擬似亀頭の表面に露出してスリット状に形成されていることを特徴とする請求項１〜７のいずれかに記載の性行為補助器具。
【請求項９】
前記擬似亀頭は、ゴム、プラスチック等柔軟性のある材料を用いて形成されていることを特徴とする請求項１〜８のいずれかに記載の性行為補助器具。
【考案の詳細な説明】
【技術分野】
【０００１】
この考案は、陰茎の先端に装着して使用する性交用の補助器具に関する。
【背景技術】
【０００２】
ストレスによる神経障害や諸疾病に起因する性不全者は増加の一途をたどっており、他人に語れぬ悩みを抱えている人は数多い。このような性不全者及び加齢による勃起不全（インポテンツ）者は夫婦間の性生活において深刻な問題となっている。
【０００３】
近年には、インポテンツ用の薬も開発され一時期マスコミを賑わすほどになった。また、勃起不全の性機能障害を持った人のために開発され、相手女性に清浄な性生活を与えられる補助器具として、男性の陰茎に装着して勃起の状態に偽装する器具が知られている。
【０００４】
補助器具としては、勃起状態の持続を目的としたものや、早漏の性機能障害を持った人のために開発されたもので、性行為中で亀頭の刺激を低減して勃起状態の持続時間を長くすることを目的とするものもある。
【考案の開示】
【考案が解決しようとする課題】
【０００５】
上記の補助器具においては、勃起は十分であるが、亀頭や陰茎部に障害を受けて通常に比べて勃起状態での陰茎が短い、あるいは、障害を受けていなくても生来から短い場合に、相手女性との性生活において、女性が女性器（膣内）奥でしか感じない部分の刺激を求める場合には用いられないものが多い。
【０００６】
また、上記のような補助器具を日常的に使用することは、使用者にとって違和感があり、不便極まりないものであり、また、補助器具を用いても、男性が抱く、いわゆる陰茎のコンプレックス感は拭いさることができない。
【０００７】
そこで、本考案は、使用者に違和感がなく、また男性にとってコンプレックスの解消となり、かつ相手の女性に刺激を与えることができ、男女の性行為に満足感を与えることができる補助器具を提供することを課題とする。
【課題を解決するための手段】
【０００８】
前記課題を解決するために、本考案の第１は、外観が、卵を円周方向に切断した形状の擬似亀頭の表面に形成された溝と、
前記擬似亀頭のほぼ先端に設けられた尿道口と、
前記尿道口の反対側に、前記擬似亀頭に凹状に設けられた凹部と、
前記尿道口から前記擬似亀頭の内部を貫通して前記凹部に到る尿道とを備えたことを特徴とする性行為補助器具である。
【０００９】
本考案の第２は、前記溝の全周、又は一部にわたり、半円状、矩形状、又はＶ字状の何れかの１種、又は２種以上の断面形状に形成されていることを特徴とする性行為補助器具である。
【００１０】
本考案の第３は、前記凹部は、男性の陰茎の先端部を挿入して保持できるようにほぼ半円形状に形成されていることを特徴とする性行為補助器具である。
【００１１】
本考案の第４は、前記尿道口は、前記擬似亀頭に１箇所、又は複数個設けられていることを特徴とする性行為補助器具である。
【００１２】
本考案の第５は、前記擬似亀頭の内部に一方端が埋め込まれ、前記凹状の凹部の尿道部近傍から抜け出て前記凹部の外に延伸する紐を備えたことを特徴とする性行為補助器具である。
【００１３】
本考案の第６は、前記凹部の外縁部は、前記陰茎の先端部を挿入した際に外に広がるとともに、陰茎を包み込むように、柔軟性のある材質を用いて形成されていることを特徴とする性行為補助器具である。
【００１４】
本考案の第７は、前記凹部の外縁部に、前記陰茎の先端部を挿入した際に外に広がるとともに、陰茎を包み込むように、略楔状の切欠き部が前記凹部の周囲に沿って複数個形成されていることを特徴とする性行為補助器具である。
【００１５】
本考案の第８は、前記凹部の外縁部に、前記陰茎の先端部を挿入した際に外に広がるとともに、陰茎を包み込むように、略楔状の切欠き部が前記凹部の周囲に沿って複数個形成され、かつ該楔状切欠き部の先端が擬似亀頭の表面に露出してスリット状に形成されていることを特徴とする性行為補助器具である。
【００１６】
本考案の第９は、亀頭は、ゴム、プラスチック等柔軟性のある材料を用いて形成されていることを特徴とする性行為補助器具である。
【考案の効果】
【００１７】
本考案の補助器具は、外観が陰茎を連想しずらい形状である。そのため、使用時、又は非使用時であっても違和感を抱くことがない。
本考案の補助器具は、使用時には、陰茎の先端に装着させて、コンドームを被せることで容易に使用できる。
本考案の補助器具を装着した場合、違和感を感じることなく、性交に於いて女性も異物を挿入されている感触がない。そのため、陰茎の短小を補い、性的コンプレックスを解消できる。また、性行為において女性への刺激を簡易に与えることができ、膣内奥まで刺激が届き性行為の双方の満足を得ることができる。
また、避妊と妊娠を選択できる。性行為時、相手に威圧感を与えることがなく、紐を設けたことにより安心して使用することができる。
【考案を実施するための最良の形態】
【００１８】
図１、２を参照して本考案を説明する。図１（ａ）には、本考案の擬似亀頭の斜視図を示した。図１（ｂ）には、本考案の擬似亀頭の尿道口方向から見た正面図を示した。図１（ｃ）には、尿道口の反対側の開口部方向から見た背面図を示した。また、図２には、本考案の擬似亀頭の側面図を示した。
【００１９】
本考案において、擬似亀頭１の外観形状は、卵の中心からややずらした位置で円周方向に切断した形状に近似している。擬似亀頭１の先端のほぼ中央部には、尿道３及び／又は５が形成されている。そして、擬似亀頭１の円周周りには、溝７が形成されている。また、擬似亀頭１のほぼ先端の尿道口３及び／又は５から、反対側の凹部９に達し、擬似亀頭１のほぼ中央を貫通して設けられた尿道１１を有している。
【００２０】
本考案による擬似亀頭１は、外観が卵状であることもあって、外観が陰茎を連想しずらい形状である。そのため、使用時、又は非使用時であっても違和感を抱くことがない。
【００２１】
本考案において、擬似亀頭１の円周周りには、溝７が形成されている。溝７は、円周周りの寸法がほぼ最大に相当する位置に、溝７を形成することが望ましい。また、擬似亀頭１に設けられた溝は全周に亘って、又は一部に、あるいは断続的に設けても良い。また、本考案において、溝は、半円状、矩形状、又はＶ字状の何れかに１種、又は２種以上の断面形状に設けても良い。
【００２２】
この溝は、擬似亀頭１を男性の陰茎の先端に装着させる際、通常は、避妊具（コンドーム）を用いるので、該避妊具（コンドーム）がずれないように保持するストッパーの役目を果たす。また装着は、通常暗所で行われることが多いが、コンドームの装着時に溝にまで一端被せた後、男性の陰茎を凹部に挿入し、ついでコンドームを陰茎にまで被せることで、不慣れな人にも、スムーズに、また、短時間で装着できる。
【００２３】
溝を全周に亘って、又は一部に、あるいは断続的に設けるのは、ストッパーの役目とともに、外観の良さ、あるいは使用感から選択肢を増すためである。また、溝の形状を半円状、矩形状、又はＶ字状の何れかに１種、又は２種以上とする理由についても、同様にストッパーの役目とともに、外観の良さ、あるいは使用感から選択肢を増すためである。
【００２４】
例えば、溝の幅は２ｍｍ以内とすることが望ましい。これは、上記のようにコンドームを装着時に、該溝で一端留める場合等に必要なものであり、幅や深さ等任意に選択できることはもちろんである。
【００２５】
本考案において、擬似亀頭１には男性の陰茎の先端部を挿入できるよう、凹部９が設けられている。図２を参照して説明する。凹部９の形状は、半円球状、楕円球状、コーン状等、種々の形状を有していても良い。なお、加工のし易さ、装着の容易さを考慮すれば半円形状に形成されていることが望ましい。
【００２６】
本考案において、尿道口は、擬似亀頭に１箇所、又は複数個設けられている。図２（ａ）及び図２（ｂ）を参照して説明する。尿道１１は、尿道口３から凹部９に達するよう、該擬似亀頭の内部を貫通して設けられている。凹部９に放出された体液は、尿道１１を通して尿道口３から、例えば、コンドーム内等に放出できる。
【００２７】
別の尿道１３は、尿道口３のやや下側位置に設けられた尿道口５から、尿道１１に交わるように設けられている。通常は、尿道１１を設けていれば良いが、尿道１３を設けることによりコンドームを加工したりする必要がなくなる。もちろん、尿道１１、尿道１３の両方を設けても良い。
【００２８】
本考案において、前記亀頭の内側に一方端が埋め込まれ、前記凹部の尿道部近傍から抜け出て前記凹部外に延伸する紐１５を有することを特徴とする。紐１５を設けることにより、性行為中にコンドームが破れたり、補助器具が膣内に取り残された場合、容易に引出すことができる。従って、紐を設けることによって、容易に取出すことができるため、使用時の安全面への配慮も充分であると言える。なお、紐１５は、材質として、例えば水分を吸収しないもの、直径が１〜２ｍｍである事等から選定することが望ましいが、所定の機能を発揮できればこだわる必要はない。
【００２９】
本考案において、凹部９の外縁部１７は、該凹部９に陰茎の先端を挿入した際に、外に向かって広がるとともに、適度に陰茎を押さえ込むように、柔軟性のある材料を用いて形成されている。図２を参照して説明する。凹部９の外縁部１７とは、擬似亀頭１に凹部９を形成させた場合の端部を示す。陰茎を挿入させた場合、凹部９は外方向に広がるが、広がると同時に、周縁部１７が男性の陰茎の先端を押さえ込んで、包みこむことが望ましい。そのため、亀頭部１全体又は周縁部が、上記機能を有するように柔軟性のある材質を用いて形成することが望ましい。
【００３０】
本考案において、凹部の外縁部に、陰茎の先端部を挿入した際に外に広がるとともに、陰茎を包み込むように、略楔状の切欠き部が前記凹部の周囲に沿って複数個形成されている。図３（ａ）には、擬似亀頭の側面図を示した。図３（ｂ）には、擬似亀頭部１の凹部３１方向から見た背面図を示した。
【００３１】
図３（ｂ）を参照して説明する。凹部３１は略半円形状に形成され、該凹部３１の左右端には、幅方向で凹部１から擬似亀頭１の表面に到る楔状に形成された切欠き部３３が形成されている。次いで、図３（ａ）を参照して説明する。楔状に形成された切欠き部３３は、凹部３３に開口する尿道１１近傍の深部３１にまで設けられている。
【００３２】
このように、擬似亀頭１の表面に開口するスリット３９を設けることにより、陰茎を挿入させた場合、凹部３１は外方向に広がり易くなる。また、広がると同時に、周縁部３５が男性の陰茎の先端を押さえ込んで、包みこむことができる。
【００３３】
本考案において、凹部の外縁部は、陰茎の先端部を挿入した際に外に広がるとともに、陰茎を包み込むように、略楔状の切欠き部が前記凹部の周囲に沿って複数個形成され、かつ該楔状切欠き部の先端が擬似亀頭の表面に露出してスリット状に形成されている。図４（ａ）には、擬似亀頭の側面図を示した。図４（ｂ）には、擬似亀頭部１の凹部３１方向から見た背面図を示した。
【００３４】
図４（ｂ）を参照して説明する。凹部３１は略半円形状に形成され、該凹部３１の左右端には、幅方向で凹部１から擬似亀頭１の表面に到る楔状に形成された切欠き部３３を有しており、該切欠き部の先端は擬似亀頭１に露出するスリット３９が形成されている。次いで、図４（ａ）を参照して説明する。楔状に形成された切欠き部３３、及びスリット３９は、凹部３３に開口する尿道１１近傍の深部３１にまで設けられている。
【００３５】
このように、擬似亀頭１の表面に開口するスリット３９を設けることにより、陰茎を挿入させた場合、凹部３１は外方向に容易に広がり、広がると同時に、周縁部３５が男性の陰茎の先端を押さえ込んで、包みこむことができる。
【００３６】
本考案において、擬似亀頭はゴム、プラスチック等柔軟性のある材料を用いて形成されていることを特徴とする。例えば、シリコン系のゴム、樹脂、塩化ビニル系の樹脂、ＥＶＡ剤（カタカナ表記は何でしょうか）、ＡＢＳ樹脂等、使用に際して安全であり、加工の容易な材料を選定する。なお、柔軟性のない材料、例えば、ガラスを用いても支障はない。
【００３７】
また、柔軟性のある材料として上記ゴム、プラスチックをスポンジ状、フォーム状に加工されたものを本考案の擬似亀頭に成形しても良い。
【００３８】
また、ゴム、樹脂等を用いて本考案の擬似亀頭を成形する際に、暗闇で発光する手段、例えば、蛍光塗料等を用いて成形すれ、暗闇で用いる場合に便利である。
【００３９】
加工方法には、例えば、旋盤加工、射出成形等の方法があるが、本考案の擬似亀頭に成形できる方法であれば如何なる方法を用いても良い。
【００４０】
本考案の擬似亀頭の表面には、尿道を中心として、放射上の溝、あるいは、擬似亀頭の周囲に同心円状に溝を設けても良い。溝を設けることにより、コンドームをしっかり保持するとともに、陰茎としての機能を高めることができる。
【００４１】
本考案の擬似亀頭を用いる場合、例えば、コンドームの先端部を切断して体液の膣内への浸入を妨げないようにし、妊娠も可能とすることができる。
【００４２】
本考案の擬似亀頭を用いる場合、コンドーム以外の手段、例えば幅広のゴムバンド様なもので、擬似亀頭と陰茎を固定することも可能である。
【実施例１】
【００４３】
以下に図本考案の擬似亀頭を用いた実施例について、図５を参照して説明する。まず、擬似亀頭１は、図１、２で示した外観形状の擬似亀頭をシリコン樹脂を用いて作製したものを用いた。擬似亀頭１の凹部９には、予め少量の乳液ローションを塗りつけて、陰茎５１と凹部が無理なく密着させ、さらに違和感を感じることがないようにした。また、凹部９と陰茎５１とのこすれ等による傷の発生を合せて防ぐようにした。ついで、陰茎５１を擬似亀頭１の凹部９に挿入し、擬似亀頭１と陰茎５１ともに、市販のコンドーム５３を装着させた。使用後には、コンドーム５３中に擬似亀頭１が残されている。そこで、紐１５を支えて、擬似亀頭１をコンドーム５３から抜き出した。
【産業上の利用可能性】
【００４４】
勃起は十分であるが、亀頭や陰茎部に障害を受けて通常に比べて勃起状態での陰茎が短い、あるいは、障害を受けていなくても生来から短い場合に、性行為用の補助器具として用いることができる。
【図面の簡単な説明】
【００４５】
【図１】本考案の性行為補助器具である。
【図２】本考案の性行為補助器具の断面図である。
【図３】本考案の、別の形態の性行為補助器具である。
【図４】本考案の、別の形態の性行為補助器具である。
【図５】本考案の、性行為補助器具の実施例である。
【符号の説明】
【００４６】
１      擬似亀頭
３      尿道口
５      尿道口
７      溝
９      凹部
１１    尿道
１３    尿道
１５    紐
１７    周縁部
１９    広がった周縁部
３１    凹部
３３    楔状切欠き部
３５    周縁部
３７    広がった周縁部
３９    深遠部
４１    スリット
５１    陰茎
５３    コンドーム
【図１】
0003105787.tif 000003
【図２】
0003105787.tif 000004
【図３】
0003105787.tif 000005
【図４】
0003105787.tif 000006
【図５】
0003105787.tif 000007